(57)【要約】      （修正有）【課題】ストロークする際に、どの位置に於いてもほぼ同じ回転トルクを得ることができ、ロングストロークの使用に於いても安定した耐久性を得ることが可能となる機械ドリブン式巻取りカバーを提供する。【解決手段】シート３−１を回転ドラム５に巻きつけ、シート３−１とは逆回転でテンションシート３−２を回転ドラム５に巻きつけ、更にシート３−１と対称になるようにシート４−１を回転ドラム６に巻きつけ、シート４−１とは逆回転でテンションシート４−２を回転ドラム６に巻き付けると共にテンションシート３−２とテンションシート４−２の端部を張力部材７で連結することにより、回転ドラム５にＥ方向、回転ドラム６にＦ方向の回転する力を発生させ、シート３−１,４−１に引っ張り力を与え、従来のバネの捻りによる力を動力とせずにストローク時に機械等の動力を利用してシート３−１,４−１を巻き付けたり引き出したりする。【選択図】図２
0003195288.tif 000002
【実用新案登録請求の範囲】
【請求項１】
直動する機械の動きに追従させ、回転ドラム2に端部を固定し巻き付けたシート1を巻き付けたり引き出したりしてストロークさせて使用する巻取りカバーに於いて、機械移動体8にボルト等で固定したシート3-1を回転ドラム5に巻きつけ、シート3-1とは逆回転でテンションシート3-2（シート状或いはひも状）を回転ドラム5に巻きつけ、更にシート3-1と対称になるように、同じく機械移動体8にボルト等で固定したシート4-1を回転ドラム6に巻きつけ、シート4-1とは逆回転でテンションシート4-2（シート状或いはひも状）を回転ドラム6に巻き付けると共にテンションシート3-2とテンションシート4-2の端部を張力部材7（金属又は樹脂或いは両者からなるバネ等）で連結することにより、回転ドラム5にE方向、回転ドラム6にF方向に回転する力を発生させてシート3-1,4-1に引っ張り力（テンション）を与えることで、機械移動体8の動きに追従してシート3-1,4-1を撓むことなく巻き付けたり引き出したりさせることを特徴とした機械ドリブン式巻取りカバー
【考案の詳細な説明】
【技術分野】
【０００１】
本考案は、主として工作機械の保護カバー、その他一般産業機械の保護カバーとして活用するものに関する。
【背景技術】
【０００２】
直動する機械の動きに追従させ、回転ドラム2に巻き付けたシート1を巻き付けたり引き出したりしてストロークさせて使用する巻取りカバーに於いて、回転ドラムが回転しようとする力は、これまで回転ドラム内に設置したコイルバネ及びゼンマイバネをバネの巻き方向と同じ方向に回転させて捩る又は絞ることで回転させた方向とは逆方向に回転しようとする力を利用する事で回転ドラムが回転する力を得ていた。
巻取りカバーの主な用途である工作機械の保護カバーは、近年の著しい工作機械の大型化と高い稼働率に伴い、ロングストローク、高耐久性が必要とされる。回転ドラム内に施工したバネを用いた巻取りカバーのロングストロークの使用においては、バネの耐久性の問題で条件によっては早期に破損するといった問題があった。
【考案の開示】
【考案が解決しようとする課題】
【０００３】
近年の著しい工作機械の大型化と高い稼働率に伴い、巻取りカバーの主な用途である工作機械の保護カバーは、ロングストローク、高耐久性が必要とされる。その為、ロングストロークの使用に於いても高耐久性を持ったバネ或いはその他の方法で高い耐久性を有する巻取りカバーの開発が必要であった。
【課題を解決するための手段】
【０００４】
本考案はかかる問題を解決するため鋭意研究し得られたもので、機械ドリブン式巻取りカバーに関するものであり、機械移動体8にボルト等で固定したシート3-1を回転ドラム5に巻きつけ、シート3-1とは逆回転でテンションシート3-2（シート状或いはひも状）を回転ドラム5に巻きつけ、更にシート3-1と対称になるように、同じく機械移動体8にボルト等で固定したシート4-1を回転ドラム6に巻きつけ、シート4-1とは逆回転でテンションシート4-2（シート状或いはひも状）を回転ドラム6に巻き付けると共にテンションシート3-2とテンションシート4-2の端部を張力部材7（金属又は樹脂或いは両者からなるバネ等）で連結することにより、回転ドラム5にE方向、回転ドラム6にF方向に回転する力を発生させてシート3-1,4-1に引っ張り力（テンション）を与えることで、機械移動体8の動きに追従してシート3-1,4-1を撓むことなく巻き付けたり引き出したりさせることで問題を解決している。
【考案の効果】
【０００５】
従来のバネの捻りによる力を利用した巻取りカバーでは回転ドラム2からシート1を引き出したり巻き戻したりしてストロークさせる際に、引き出すストロークが長くなるにつれて回転トルクが大きくなる為、回転トルクの原動力となるバネの疲労はストローク回数増加と共に大きくなり、やがて疲労限界に達するとバネは破損し巻取りカバーとして機能しなくなる。一方、本考案による巻取りカバー図4に於いては、機械が稼動する際の動力を利用して  機械移動体8がA方向へ移動した場合、シート3-1が回転ドラム5から引き出され回転ドラム5はB方向へ回転、そのときテンションシート3-2が回転ドラム5に巻取られC方向へ移動し。そのことによりテンションシート4-2が回転ドラム6から引き出され回転ドラム6はD方向へ回転、更にそのことでシート4-1が回転ドラム6に巻き取られ、従来のバネの捻りによる力を利用せずとも直動する機械の動きに追従する巻取りカバーとして機能した。
そのため、ストロークする際に、どの位置に於いてもほぼ同じ回転トルクを得ることができ、ロングストロークの使用に於いても安定した耐久性を得ることが可能となった。
【図面の簡単な説明】
【０００６】
【図１】一般的な巻取りカバーに関する断面図
【図２】請求項1に記載の機械ドリブン式巻取りカバーに関する斜視図
【図３】請求項1に記載の機械ドリブン式巻取りカバーに関する平面図1
【図４】請求項1に記載の機械ドリブン式巻取りカバーに関する平面図2
【実施例】
【０００７】
請求項1に記載の一般的な巻取りカバーに関する断面図を図1に示す。図2に本考案の主体となす機械ドリブン式巻取りカバーの斜視図を示す。
【０００８】
図2の斜視図は請求項1に関するものであり、機械移動体8にボルト等で固定したシート3-1を回転ドラム5に巻きつけ、シート3-1とは逆回転でテンションシート3-2（シート状或いはひも状）を回転ドラム5に巻きつけ、更にシート3-1と対称になるように、同じく機械移動体8にボルト等で固定したシート4-1を回転ドラム6に巻きつけ、シート4-1とは逆回転でテンションシート4-2（シート状或いはひも状）を回転ドラム6に巻き付けると共にテンションシート3-2とテンションシート4-2の端部を張力部材7（金属又は樹脂或いは両者からなるバネ等）で連結することで機械ドリブン式巻取りカバーは構成される。
【０００９】
テンションシート3-2とテンションシート4-2の端部に連結された張力部材7（金属又は樹脂或いは両者からなるバネ等）が回転ドラム5にE方向、回転ドラム6にF方向に回転する力を発生させてシート3-1,4-1に引っ張り力（テンション）を与え、機械移動体8の動きに追従してシート3-1,4-1を撓むことなく巻き付けたり引き出したりさせることにより、直動する機械の動きに追従する巻取りカバーとして機能する。
【符号の説明】
【００１０】
1    シート
2    回転ドラム
3-1  シート
3-2  テンションシート
4-1  シート
4-2  テンションシート
5    回転ドラム
6    回転ドラム
7    張力部材
8    機械移動体
A    移動方向
B    回転方向
C    移動方向
D    回転方向
E    回転方向
F    回転方向
【図１】
0003195288.tif 000003
【図２】
0003195288.tif 000004
【図３】
0003195288.tif 000005
【図４】
0003195288.tif 000006
【手続補正書】
【提出日】平成26年11月12日(2014.11.12)
【手続補正１】
【補正対象書類名】実用新案登録請求の範囲
【補正対象項目名】全文
【補正方法】変更
【補正の内容】
【実用新案登録請求の範囲】
【請求項１】
直動する機械の動きに追従させ、回転ドラム2に端部を固定し巻き付けたシート1を巻き付けたり引き出したりしてストロークさせて使用する巻取りカバーに於いて、機械移動体8にボルト等で固定したシート3-1を回転ドラム5に巻きつけ、シート3-1とは逆回転でシート状或いはひも状からなるテンションシート3-2を回転ドラム5に巻きつけ、更にシート3-1と対称になるように、同じく機械移動体8にボルト等で固定したシート4-1を回転ドラム6に巻きつけ、シート4-1とは逆回転でシート状或いはひも状からなるテンションシート4-2を回転ドラム6に巻き付けると共にテンションシート3-2とテンションシート4-2の端部を金属又は樹脂或いは両者からなる張力部材7で連結することにより、シート3-1を回転ドラム5へ、シート4-1を回転ドラム6に巻きつける方向へ、それぞれの回転ドラムに回転する力を発生させてシート3-1,4-1に引っ張り力を与えることで、機械移動体8の動きに追従してシート3-1,4-1を撓むことなく巻き付けたり引き出したりさせることを特徴とした機械ドリブン式巻取りカバー